(57)【特許請求の範囲】
【請求項１】
エレベータの昇降路のピット床面に固定された床固定部材と、
前記床固定部材に対し水平方向の第１軸を中心に回転可能に支持される第１回転部材と、
前記第１軸に直交する平面内に含まれる第２軸を中心に前記第１回転部材に対し回転可能に支持され、前記第１回転部材が所定位置に回転した状態で前記第２軸が上下方向に向く第２回転部材と、
２つの柱部と各柱部間に連結された複数のステップとを有し、一端側が前記第２回転部材に固定される梯子本体であって、前記ピット床面に乗り場側からピット奥側に向かって倒された未使用時の位置と、前記第１軸を中心として回転することで立てられるとともに、前記第２軸を中心として回転することで乗り場に対して所定の向きとなる使用時の位置とに移動可能な梯子本体と、
前記梯子本体に連結され前記乗り場から前記梯子本体の他端側を引き上げるために用いられる引上げ手段とを備える、エレベータ用ピット梯子装置。
【請求項２】
請求項１に記載のエレベータ用ピット梯子装置において、
前記梯子本体が立てられて前記所定の向きになった状態で乗り場に前記梯子本体を固定する乗り場固定部を備える、エレベータ用ピット梯子装置。
【請求項３】
請求項１に記載のエレベータ用ピット梯子装置において、
前記所定の向きは、前記ステップの長さ方向が、前記乗り場の敷居部において乗り場ドアの下部が案内される溝の長さ方向に対し直交する向きである、エレベータ用ピット梯子装置。
【請求項４】
請求項１に記載のエレベータ用ピット梯子装置において、
前記梯子本体は、上側部材と、前記上側部材の下部に折り畳み可能に連結された下側部材とを含む、エレベータ用ピット梯子装置。
【請求項５】
請求項２に記載のエレベータ用ピット梯子装置において、
前記乗り場固定部は、前記乗り場の敷居部の溝に係合される係合板部を有する本体部と、前記乗り場に対し遠近動する方向に移動可能に案内されるように前記本体部に係止される押し付け部材と、前記係合板部を貫通した状態で前記押し付け部材のねじ孔に締結され、締結によって前記押し付け部材及び前記係合板部で前記敷居部の先端部を挟む締結部材と、前記本体部に着脱可能に結合されて前記本体部に前記梯子本体を固定する結合部材とを含む、エレベータ用ピット梯子装置。
【請求項６】
請求項１に記載のエレベータ用ピット梯子装置において、
前記第２軸は、前記梯子本体の前記２つの柱部の間に、前記２つの柱部のそれぞれと平行に配置される、エレベータ用ピット梯子装置。
【発明の詳細な説明】
【技術分野】
【０００１】
本発明は、エレベータの昇降路の下部のピットに設置され、乗り場とピットとの間の昇降に用いられるエレベータ用ピット梯子装置に関する。
【背景技術】
【０００２】
従来から、エレベータの点検または補修のために作業者が乗り場側からピットに降りる場合に乗り場側にピット梯子装置を立てかけることが行われる。この場合、作業者が乗り場からピット梯子装置に移る場合に体を１８０度回転させて後ろ向きに降りることが行われる。例えば、作業者は乗り場の位置でピット内側を向いた体勢から梯子装置を回り込みながらピット外側に向くように体勢を変える。
【０００３】
特許文献１には、梯子を構成する２つの縦棒のうち、一方の縦棒を中心として梯子をピット壁面に沿うように近づけた未使用時の位置と、２つの縦棒のうち、他方の縦棒をピット壁面から離した使用時の位置とに回転移動できるように構成されるピット梯子装置が記載されている。
【０００４】
特許文献２には、上部梯子部材と、上部梯子部材の下端部に折り畳み可能に連結された下部梯子部材とを含み、未使用時には折り畳まれてピット床面に寝かせた状態で置かれ、使用時には一直線状に伸長されてピットの壁部に立てかけられるピット梯子が記載されている。
【先行技術文献】
【特許文献】
【０００５】
【特許文献１】特開２００３−３２７３７２号公報
【特許文献２】特開２００３−１９２２５３号公報
【発明の概要】
【発明が解決しようとする課題】
【０００６】
乗り場側にピット梯子装置を立てかけて、作業者が乗り場から梯子装置に１８０度体を回転させて降りる場合、後ろ向きで降りるため、足元を確認しにくい。これによって、作業者は注意深く降りる必要があり作業時間に長時間を有し、作業性向上の面から改善の余地がある。一方、特許文献１に記載された梯子装置では使用時にピット壁面から離れるので作業者が降り易くなる可能性はあるが、未使用時に梯子装置がピット壁面に沿う状態となり、梯子装置を配置するためにエレベータの乗りかごとピット壁面との間の空間を大きくする必要がある。特許文献１，２のいずれにも、乗り場からピットに降りる場合の作業性を向上することと、未使用時にピット壁面と乗りかごとの間への配置を不要とすることとの両立を図れる手段は開示されていない。
【０００７】
本発明の目的は、エレベータ用ピット梯子装置において、乗り場からピットに降りる場合の作業性を向上することと、未使用時にピット壁面と乗りかごとの間への配置を不要とすることとを両立することである。
【課題を解決するための手段】
【０００８】
本発明に係るエレベータ用ピット梯子装置は、エレベータの昇降路のピット床面に固定された床固定部材と、前記床固定部材に対し水平方向の第１軸を中心に回転可能に支持される第１回転部材と、前記第１軸に直交する平面内に含まれる第２軸を中心に前記第１回転部材に対し回転可能に支持され、前記第１回転部材が所定位置に回転した状態で前記第２軸が上下方向に向く第２回転部材と、２つの柱部と各柱部間に連結された複数のステップとを有し、一端側が前記第２回転部材に固定される梯子本体であって、前記ピット床面に乗り場側からピット奥側に向かって倒された未使用時の位置と、前記第１軸を中心として回転することで立てられるとともに、前記第２軸を中心として回転することで乗り場に対して所定の向きとなる使用時の位置とに移動可能な梯子本体と、前記梯子本体に連結され前記乗り場から前記梯子本体の他端側を引き上げるために用いられる引上げ手段とを備える。
【発明の効果】
【０００９】
本発明に係るエレベータ用ピット梯子装置によれば、乗り場からピットに降りる場合の作業性を向上することと、未使用時にピット壁面と乗りかごとの間への配置を不要とすることとの両立を図れる。さらに、本発明によれば梯子装置を引上げ手段により乗り場側から容易に引き上げることができ、梯子装置を使用時の位置へ容易に移動できるので、設置作業性を向上できる。
【図面の簡単な説明】
【００１０】
【図１】本発明に係る実施の形態のエレベータ用ピット梯子装置の全体構成図である。
【図２】図１の上方から見た図である。
【図３】図１のＡ矢視図である。
【図４】図３のＢ矢視図である。
【図５】図１のＣ部拡大図である。
【図６】図５の梯子装置を構成する乗り場固定部を上方から見た図である。
【図７】図６の乗り場固定部を構成する押し付け部材を取り出して示す図である。
【図８】本発明に係る実施の形態のエレベータ用ピット梯子装置の未使用時の位置を示す図である。
【図９】本発明に係る実施の形態のエレベータ用ピット梯子装置を使用時の設置位置に移動させる設置作業において、第１作業を示す図である。
【図１０】本発明に係る実施の形態のエレベータ用ピット梯子装置を使用時の設置位置に移動させる設置作業において、第２作業を示す図である。
【図１１】本発明に係る実施の形態のエレベータ用ピット梯子装置を使用して作業者がピットに降りる状態を示す図である。
【図１２】比較例のエレベータ用ピット梯子装置を使用時の設置位置に移動させる設置作業を示す図である。
【図１３】比較例のエレベータ用ピット梯子装置を使用して作業者がピットに降りる状態を示す図である。
【図１４】本発明に係る実施の形態のエレベータ用ピット梯子装置の別例を示す図である。
【図１５】図１４の梯子装置を構成する乗り場固定部を図１４の矢印α方向に見た図である。
【図１６】図１４の梯子装置の下部における分解斜視図である。
【図１７】図１５の乗り場固定部の分解斜視図である。
【発明を実施するための形態】
【００１１】
以下、図面を用いて本発明の実施形態を説明する。以下で説明する材質、形状、数量などは、説明のための例示であって、エレベータ用ピット梯子装置１０の仕様により適宜変更が可能である。以下ではすべての図面において同等の要素には同一の符号を付して説明する。また、本文中の説明においては、必要に応じてそれ以前に述べた符号を用いるものとする。
【００１２】
図１は、本実施形態のエレベータ用ピット梯子装置１０の全体構成図であり、図２は図１の上方から見た図である。エレベータは昇降路１１内で昇降する乗りかご１２（図８）を含んで構成される。エレベータの点検または補修を行う作業者１３（図２）は、昇降路１１の下部に設けられるピット１４に降りて作業を行う場合がある。エレベータ用ピット梯子装置（以下、単に梯子装置という。）１０は、この場合に作業者１３が最下階の乗り場１５とピット床面１６との間で昇降するために用いられる。
【００１３】
梯子装置１０は、床固定部材２０、第１回転部材３０、第２回転部材４０、梯子本体５０、引上げ手段６０（図８）、及び乗り場固定部７０を含んで構成される。図１、図２では引上げ手段６０の図示を省略する。
【００１４】
図３は、図１のＡ矢視図である。床固定部材２０は、水平方向に配置される板部２１と、板部２１の長さ方向（図３の左右方向）両端部で上方に直角に曲がって一体に設けられる２つの壁部２２とを含む。図４は図３のＢ矢視図である。各壁部２２は、幅方向一端部（図４の右端部）において、水平方向の第１軸Ｌ１に沿って設けられた円形の固定側孔２３を有する。板部２１はピット床面１６に図示しないボルトなどにより固定される。床固定部材２０は、鋼などの金属により形成される（後述する第１回転部材３０及び第２回転部材４０も同様である。）。
【００１５】
第１回転部材３０は、床固定部材２０の上側に設けられ、第２板部３１と、第２板部３１の長さ方向（図３の左右方向）両端部で直角に曲がって一体に設けられる２つの第２壁部３２とを含む。第２板部３１は、第２軸Ｌ１の方向である厚さ方向（図３の上下方向）に貫通する円形の第１回転側孔３３を有する。２つの第２壁部３２は、２つの壁部２２に対向するように各壁部２２の内側に配置される。各第２壁部３２は、第１軸Ｌ１に沿って設けられた円形の第２回転側孔３４を有する。
【００１６】
壁部２２の固定側孔２３と第２壁部３２の第２回転側孔３４とに挿入された２つの第１ピン８０により各第２壁部３２は各壁部２２に対し、第１軸Ｌ１を中心に回転可能に支持される。各第１ピン８０の長さ方向中間部は円柱状に形成される。
【００１７】
また、各第１ピン８０の両端部には、抜け止め部８１が一体に設けられる。抜け止め部８１は、第１ピン８０の端部にねじ結合されたナット、または第１ピン８０の端部に全周に形成された係止溝に係止されたＣ字形の止め輪により形成されてもよい。抜け止め部８１は、第１ピン８０が固定側孔２３及び第２回転側孔３４からの抜け防止を図る。これによって第１回転部材３０は、床固定部材２０に対し第１軸Ｌ１を中心に回転可能に支持され、第２板部３１の両側面が略水平方向に向く位置と上下方向に向く位置との間で回転移動が可能となる。固定側孔２３及び第２回転側孔３４の直径と各第１ピン８０の直径とはほぼ同じとしてもよい。
【００１８】
第１回転部材３０の第２板部３１が上下方向に向いた位置からさらに反対側の水平方向に向いた位置に向かって第１回転部材３０が回転することを防止するために、第１回転部材３０と床固定部材２０との間には図示しないストッパが設けられる。なお、固定側孔２３及び第２回転側孔３４と第１ピン８０との間に軸受が設けられてもよい。
【００１９】
第２回転部材４０は、円板部４１と、円板部４１の上側に固定された矩形板状の梯子結合部４２とを含み、第２板部３１の上側に重なるように配置される。梯子結合部４２は、後述する梯子本体５０を構成する２つの下側柱部５５の一端側（図１の下端側）に各下側柱部５５の長さ方向に対し直交する方向に固定される。円板部４１の代わりに矩形板部が用いられてもよく、下側の矩形板部と上側の梯子結合部４２とが一体の部材により形成されてもよい。第２回転部材４０には、厚さ方向（図３の上下方向）に貫通する第３回転側孔４３が形成される。
【００２０】
第１回転部材３０の第１回転側孔３３と第２回転部材４０の第３回転側孔４３とには第２ピン８２が挿入される。第１回転側孔３３及び第３回転側孔４３の直径と第２ピン８２の直径とはほぼ同じとしてもよい。第２ピン８２の長さ方向中間部は円柱状に形成され、長さ方向両端部には第１ピン８０の抜け止め部８１と同様に抜け止め部８３が一体に設けられる。これによって、第２回転部材４０は第３回転側孔４３の方向の第２軸Ｌ２を中心に、第１回転部材３０に対し回転可能に支持される。第２軸Ｌ２は、第１軸Ｌ１に直交する平面内に含まれ、第１回転部材３０が第１軸Ｌ１を中心に回転する場合に第１回転部材３０とともに所定角度範囲内で回転する。第１回転部材３０が所定位置（図３に示す位置）として、第２板部３１の両側面が上下方向に向く位置に回転した状態で、第２軸Ｌ２は上下方向に向く。この場合の図３に示す位置が梯子装置１０の使用時の位置である。なお、第１回転側孔３３及び第３回転側孔４３と第２ピン８２との間に軸受が設けられてもよい。また、第２回転部材４０と第１回転部材３０との間にスラスト軸受が設けられてもよい。
【００２１】
図１に戻って、梯子本体５０は、上側部材５１と、上側部材５１の下側に連結された下側部材５２とを含む。上側部材５１は、２つの平行な上側柱部５３の間に連結された複数の上側ステップ５４を有する。下側部材５２も上側部材５１と同様に、２つの下側柱部５５の間に連結された複数の下側ステップ５６を有する。２つの上側柱部５３の間隔は２つの下側柱部５５の間隔よりも小さい。上側柱部５３の下部は下側柱部５５の上部の内側に配置され、下側柱部５５の上部は上側柱部５３の下部に水平方向の支持軸５７を中心に折り畳み可能に連結される。なお、上側部材５１と下側部材５２とが折り畳まれた状態から一直線状に展開された後、反対側に曲がることを防止するために、上側部材５１の下部と下側部材５２の上部との間には図示しないストッパが設けられる。
【００２２】
このような梯子本体５０は、後述する図８に示すようにピット床面１６に乗り場１５側からピット１４奥側（図８の右側）に向かって倒された未使用時の位置と、図１、図２に示すように、第１軸Ｌ１を中心として回転することで立てられるとともに、第２軸Ｌ２を中心として回転することで乗り場１５に対して予め設定された所定の向きとなる使用時の位置とに移動可能である。ここで、「ピット１４奥側に向かって倒された」とは、床固定部材２０が梯子本体５０に対し乗り場１５側（図８の左側）に位置するように倒されたことである。また、「所定の向き」は、梯子本体５０のステップ５４，５６の長さ方向（図１の左右方向）が、乗り場１５の下部に設けられる敷居部１７の後述の敷居溝１８の長さ方向（図１の紙面に対し直交する方向）に対し直交する向きである。敷居部１７は、先端部の上面に図示しないエレベータ乗り場ドアの下部を案内する直線状の敷居溝１８を有する。
【００２３】
図８に示すように、引上げ手段６０はロープにより形成され、梯子本体５０の他端側（図１の上端側）の１つの上側柱部５３に連結された第１フック５８に引上げ手段６０の一端が連結され、乗り場１５の周辺部に設けられる敷居部１７の先端面に固定された第２フック１９に引上げ手段６０の他端が連結される。これによって、引上げ手段６０は、梯子本体５０と乗り場周辺部との間に連結される。引上げ手段６０は、後で説明するように梯子本体５０の他端側（図１の上端側）を乗り場１５側から作業者が引き上げて立ち上げるために用いられる。引上げ手段６０は、ロープ以外に鎖状に形成される鋼などの金属製、または棒材であってもよい。また、引上げ手段６０は、乗り場周辺部と梯子本体５０との間に連結されればよく、乗り場周辺部の任意の位置と梯子本体５０の他端（図１の上端）側の任意の位置とに引上げ手段６０の両端が連結されてもよい。例えば引上げ手段６０の一端は、梯子本体５０の１つの上側柱部５３に形成された孔に挿入しながら縛り付けられてもよい。
【００２４】
図１に戻って乗り場固定部７０は、乗り場１５を構成する敷居部１７に梯子本体５０を固定するために設けられる。図５は図１のＣ部拡大図であり、図６は図５の乗り場固定部７０を上方から見た図である。乗り場固定部７０は、本体部７１、押し付け部材７２、締結部材７３、及び結合部材であるピン７４を含む。本体部７１は、金属板により形成されて板部７１ａと、板部７１ａの長さ方向一端部（図５の左端部）に直角に曲げることにより形成された係合板部７１ｂと、板部７１ａの長さ方向他端部（図５の右端部）に幅方向両端から突出形成された腕部７１ｃを下方に丸めるように曲げることにより形成された２つのピン支持部７１ｄとを含む。係合板部７１ｂは、乗り場１５の敷居溝１８に係合する。各ピン支持部７１ｄは、後述するピン７４を内側に挿入支持する。
【００２５】
板部７１ａは、長さ方向他端において、各腕部７１ｃの間に形成される矩形状の梯子挿入部７１ｅと、長さ方向他端側の幅方向（図６の上下方向）中央部に長さ方向に形成された切欠７１ｆとを有する。
【００２６】
押し付け部材７２は、図７に示すように、矩形板状の本体部７２ａと、本体部７２ａの上端から突出形成されたＴ字形部７２ｂとを有する。本体部７２ａには厚さ方向に貫通するねじ孔７２ｃが形成される。ねじ孔７２ｃには後述する締結部材７３が締結される。
【００２７】
押し付け部材７２は、本体部７１の上面にＴ字形部７２ｂの上部が係合した状態で、本体部７１の切欠７１ｆにＴ字形部７２ｂの下部が挿入されることで、本体部７１に対し切欠７１ｆ方向に沿って移動可能に支持される。Ｔ字形部７２ｂの上部は本体部７１から押し付け部材７２が脱落することを阻止する。また、敷居部１７に乗り場固定部７０が固定される場合に、押し付け部材７２は乗り場１５に対し遠近動する方向に移動可能に案内される。
【００２８】
締結部材７３はボルトにより形成され、係合板部７１ｂに形成された孔７１ｇを貫通した状態で押し付け部材７２のねじ孔７２ｃに締結される。孔７１ｇにはねじ部は形成されない。締結部材７３のねじ孔７２ｃに対する締結によって押し付け部材７２は図５に矢印βで示す方向に移動して、押し付け部材７２及び係合板部７１ｂの間で敷居部１７の先端部が挟まれ、これによって乗り場固定部７０は敷居部１７に固定される。
【００２９】
この状態でピン７４は、本体部７１に着脱可能に結合されて本体部７１に梯子本体５０を固定する。具体的には、梯子本体５０が図５に示す所定の向きとなった状態で梯子挿入部７１ｅに１つの上側柱部５３が挿入され各ピン支持部７１ｄの内側に円柱状のピン７４が挿入支持される。この状態で図６に示すように、ピン７４と梯子挿入部７１ｅとの間で上側柱部５３が挟まれて固定される。ピン７４の両端部には、図３で説明した第１ピン８０及び第２ピン８２と同様に抜け止め部が設けられてもよい。図６では上側柱部５３を分かりやすくするために砂地で示している。これによって、乗り場固定部７０に梯子本体５０が固定される。なお、ピン７４の代わりに結合部材として別形状の部材を用いてもよく、例えば本体部７１に結合された板材と本体部７１との間で上側柱部５３が固定される構成としてもよい。
【００３０】
一方、梯子装置１０の未使用時には、各ピン支持部７１ｄからピン７４を抜き出すとともに、乗り場固定部７０の締結部材７３の押し付け部材７２に対する締結を緩めることで押し付け部材７２を図５の矢印βと反対方向に移動させ、敷居部１７から乗り場固定部７０を取り外す。この状態で梯子装置１０は、ピット床面１６に折り畳んで寝かせることが可能となる。
【００３１】
次に、図８から図１１を用いて梯子装置１０を使用時の所定位置に設置する方法と、梯子装置１０の使用状態とを説明する。まず、梯子装置１０の設置方法を説明する。図８は、梯子装置１０の未使用時の位置を示している。この場合、梯子本体５０は上側部材５１が下側部材５２の上側に重なるように支持軸５７を中心に折り畳まれて全長が短くなっている。
【００３２】
作業者１３が梯子本体５０を乗り場１５に固定する場合、まずエレベータの乗りかご１２を最下階の乗り場１５よりも上側に移動させた状態で停止させた後、梯子本体５０を乗り場１５から引き上げる作業を行う。この場合、図９に示すように作業者１３は第１作業として、梯子本体５０に連結された引上げ手段６０を手繰り寄せるように引っ張って、梯子本体５０を支持軸５７を中心に回転させて一直線状に伸長させながら立ち上げる。この場合、梯子本体５０の一端側は第１軸Ｌ１（図１）を中心に回転する。この場合、作業者１３は後側に体の重心を移動させることで梯子本体５０を容易に引き上げることができる。そして図１０に示すように作業者１３は第２作業として、梯子本体５０を上下方向に延びるように立ち上げた状態で第２軸Ｌ２（図１）を中心に矢印γ方向に梯子本体５０を９０度回転させて、図１、図２に示す所定の向きに梯子本体５０を回転移動させ、この状態で乗り場１５の敷居部１７に乗り場固定部７０を用いて梯子本体５０を固定する。これによって、梯子装置１０が使用時の所定位置に設置される。
【００３３】
次に梯子装置１０の使用状態を説明する。図１１は、梯子装置１０を使用して作業者１３がピット１４に降りる状態を示している。作業者はピット１４に降りる場合、乗り場１５から所定の向きで設置された梯子本体５０に移動する。この場合、乗り場１５から梯子本体５０に横向きで移動すればよいので、作業者１３は足元を確認しやすい。
【００３４】
上記の梯子装置１０によれば、乗り場１５から梯子装置１０に移動する場合に足元を確認しやすいように梯子装置１０の所定の向きを設定することにより、乗り場１５からピット１４に降りる場合の作業性を向上できる。本例の場合、「所定の向き」は、ステップ５４，５６の長さ方向が敷居部１７の敷居溝１８の長さ方向に対し直交する向きであり、この場合には、作業者１３が乗り場１５から梯子装置１０に移動する場合に体の向きを変える角度を小さくできる。このため、作業者１３が無理な体勢をとることなく足元を確認しながら梯子装置１０に容易に移動できる。なお、梯子本体５０を乗り場１５に安定して固定できるのであれば、所定の向きは、ステップ５４，５６の長さ方向が敷居部１７の敷居溝１８の長さ方向に対し傾斜する向きとしてもよい。
【００３５】
また、梯子装置１０の未使用時では梯子装置１０がピット床面１６に乗り場１５側からピット１４の奥側に向かって倒された位置にあるので、乗り場１５側のピット壁面Ｈ（図１）と乗りかご１２との間への梯子装置１０の配置が不要となる。この場合、梯子装置１０はピット床面１６に設置されるが、ピット床面１６と乗りかご１２の下面との間の空間は大きく、梯子装置１０の設置のみためにこの空間を大きくする必要はない。この結果、乗り場１５からピット１４に降りる場合の作業性を向上することと、未使用時にピット壁面Ｈと乗りかご１２との間への梯子装置１０の配置を不要とすることとの両立を図れる。さらに、梯子装置１０を引上げ手段６０により乗り場１５側から容易に引き上げることができるので、梯子装置１０を使用時の位置へ容易に移動でき、設置作業性を向上できる。
【００３６】
また、梯子本体５０は、上側部材５１と、上側部材５１の下部に折り畳み可能に連結された下側部材５２とを含むので、未使用時に梯子本体５０の全長を小さくできて設置空間を小さくできる。なお、梯子本体５０は、上側部材５１及び下側部材５２の間に中間柱部及び中間ステップを含む中間部材が折り畳み可能に連結される構成としてもよい。梯子本体５０は、後述する図１４の別例で示すように折り畳み不能に構成されてもよい。
【００３７】
図１２から図１３は比較例の梯子装置１０ａを示している。比較例の梯子装置１０ａは、ピット床面１６に固定された床固定部材２０に水平方向の第１軸Ｌ１を中心に回転可能に梯子本体５０の下部が連結されている。梯子本体５０は、実施形態と同様に上側部材５１と下側部材５２とが折り畳み可能に連結される。このような比較例の梯子装置１０ａを使用時の所定位置に設置する場合、図１２に示すように作業者１３が梯子本体５０の端部に連結された引上げ手段６０を引っ張って一直線状に立ち上げ、立ち上げた状態で図１３に示すように乗り場１５の敷居部１７に斜めに立てかける。そしてこの状態で梯子本体５０に固定されたＬ字形の係合部８４を敷居溝１８に係合することで梯子本体５０を敷居部１７に固定する。この状態で図１３に示すように作業者１３が梯子装置１０ａを用いてピット１４に降りることはできるが、乗り場１５から梯子装置１０ａに移動する場合に作業者１３が体を１８０度回転させて、後ろ向きに降りる必要がある。この場合、作業者１３は足元を確認しにくいので、作業時間に長時間を有する。本実施形態によれば、乗り場１５から梯子本体５０への移動時に作業者１３は足元を確認しやすいのでこのような不都合を生じない。
【００３８】
図１４から図１７は、本実施形態の別例を示している。図１４は、梯子装置１０の別例を示す図である。図１５は梯子装置１０を構成する乗り場固定部７０を図１４の矢印α方向に見た図である。図１６は梯子装置１０の下部における分解斜視図であり、図１７は図１５の乗り場固定部７０の分解斜視図である。
【００３９】
図１４に示す別例では、梯子本体５０は、２つの平行な板状の柱部５９ａに複数の断面Ｌ字形のステップ５９ｂが連結されるものであり、折り畳み可能には形成されない。
【００４０】
図１６に示すように床固定部材２０は、板部２４の幅方向一端部で長さ方向両端部の上面から突出する２つの壁部２５を有する。第１回転部材３０は、第２板部３５の幅方向一端部で長さ方向両端部の下面から突出する２つの第２壁部３６と、各第２壁部３６の外側面に固定された円柱状の軸部３７とを有する。各軸部３７は、壁部２５に対し同一の第１軸Ｌ１に沿って形成された円形の固定側孔２６に挿入される。これによって、第１回転部材３０は床固定部材２０に対し第１軸Ｌ１を中心に回転可能に支持される。第２板部３５の中間部には第２軸Ｌ２に沿う厚さ方向に貫通する図示しない回転側孔が形成される。
【００４１】
第２回転部材４０は、矩形板状に形成されて梯子本体５０の一端部（図１４の下端部）に固定される。第２回転部材４０の中間部には厚さ方向の第２回転側孔４４が形成され、第２回転部材４０は、板状の円形部材８５を介して第１回転部材３０の上側に配置され、円形部材８５の内側と回転側孔及び第２回転側孔４４とに第２ピン８２が挿入され、第２ピン８２の両端部に円板状の抜け止め部８３が設けられる。これによって、第２回転部材４０は第１回転部材３０に対し第２軸Ｌ２を中心に回転可能に支持される。
【００４２】
図１４に戻って、梯子本体５０が所定の向きに回転移動した状態で梯子本体５０は乗り場１５の敷居部１７に乗り場固定部７０により固定される。敷居部１７と梯子本体５０との間には、チェーンにより形成される引上げ手段６０が連結される。
【００４３】
乗り場固定部７０は、本体部７５、押し付け部材７６、損傷防止板７７、締結部材７３、及びピン７４を含む。図１５、図１７に示すように、本体部７５は、金属により形成され、板部７５ａの長さ方向一端部（図１５、図１７の左端部）に形成された係合板部７５ｂと、板部７５ａの中間部に長さ方向（図１５、図１７の左右方向）に形成された切欠７５ｃと、長さ方向他端部（図１５、図１７の右端部）に設けられた円柱状のピン支持部７５ｄとを有する。ピン支持部７５ｄは幅方向（図１７の矢印δ方向）に貫通するピン挿入孔７５ｅを有する。
【００４４】
押し付け部材７６は、金属により矩形板状に形成され、厚さ方向に貫通するねじ孔７６ａを有する本体部７６ｂと、上端部にねじ結合されたボルト７６ｃとを有する。ボルト７６ｃのねじ部は本体部７６ｂの上面よりも上側に突出し、その突出した部分が本体部７５の切欠７５ｃ内に挿入される。ボルト７６ｃの頭部は板部７５ａの上面に係合することで本体部７５からの押し付け部材７６の脱落を阻止する。
【００４５】
損傷防止板７７は、ゴムまたは合成樹脂などの低剛性材料により矩形板状に形成され、中間部に締結部材７３を挿入する孔７７ａを有する。この孔７７ａにはねじ部は形成されない。係合板部７５ｂの孔７５ｆ及び損傷防止板７７の孔７７ａに挿入された締結部材７３が押し付け部材７６のねじ孔７６ａに締結されることで、図５に示した場合と同様に敷居部１７に乗り場固定部７０を固定することが可能となる。損傷防止板７７は、敷居部１７の先端の損傷を有効に防止するために用いられる。
【００４６】
梯子本体５０を構成する１つの柱部５９ａの外側面に２つの板部５９ｃが平行に連結されており、各板部５９ｃに孔５９ｄが形成される。梯子本体５０を立てて所定の向きに回転移動させた状態で、敷居部１７に固定された乗り場固定部７０のピン支持部７５ｄが各板部５９ｃの内側に配置され、各板部５９ｃの孔５９ｄとピン支持部７５ｄのピン挿入孔７５ｅとにピン７４が挿入されて本体部７５にピン７４が着脱可能に結合されることで、敷居部１７に梯子本体５０が固定される。
【００４７】
このような構成の場合も、図１から図１１で説明した構成と同様に、乗り場１５からピットに降りる場合の作業性を向上することと、未使用時にピット壁面と乗りかごとの間への梯子装置１０の配置を不要とすることとの両立を図れる。その他の構成及び作用は、図１から図１１の構成と同様である。
【符号の説明】
【００４８】
１０，１０ａ  エレベータ用ピット梯子装置（梯子装置）、１１  昇降路、１２  乗りかご、１３  作業者、１４  ピット、１５  乗り場、１６  ピット床面、１７  敷居部、１８  敷居溝、１９  第２フック、２０，２０ａ  床固定部材、２１  板部、２２  壁部、２３  固定側孔、２４  板部、２５  壁部、２６  固定側孔、３０  第１回転部材、３１  第２板部、３２  第２壁部、３３  第１回転側孔、３４  第２回転側孔、３５  第２板部、３６  第２壁部、３７  軸部、４０  第２回転部材、４１  円板部、４２  梯子結合部、４３  第３回転側孔、４４  第２回転側孔、５０  梯子本体、５１  上側部材、５２  下側部材、５３  上側柱部、５４  上側ステップ、５５  下側柱部、５６  下側ステップ、５７  支持軸、５８  第１フック、５９ａ  柱部、５９ｂ  ステップ、５９ｃ  板部、５９ｄ  孔、６０  引上げ手段、７０  乗り場固定部、７１  本体部、７１ａ  板部、７１ｂ  係合板部、７１ｃ  腕部、７１ｄ  ピン支持部、７１ｅ  梯子挿入部、７１ｆ  切欠、７１ｇ  孔、７２  押し付け部材、７２ａ  本体部、７２ｂ  Ｔ字形部、７２ｃ  ねじ孔、７３  締結部材、７４  ピン、７５  本体部、７５ａ  板部、７５ｂ  係合板部、７５ｃ  切欠、７５ｄ  ピン支持部、７５ｅ  ピン挿入孔、７５ｆ  孔、７６  押し付け部材、７６ａ  ねじ孔、７６ｂ  本体部、７６ｃ  ボルト、７７  損傷防止板、７７ａ  孔、８０  第１ピン、８１  抜け止め部、８２  第２ピン、８３  抜け止め部、８４  係合部、８５  円形部材  Ｈ  ピット壁面、Ｌ１  第１軸、Ｌ２  第２軸。
【図１】
0006300656.tif 000002
【図２】
0006300656.tif 000003
【図３】
0006300656.tif 000004
【図４】
0006300656.tif 000005
【図５】
0006300656.tif 000006
【図６】
0006300656.tif 000007
【図７】
0006300656.tif 000008
【図８】
0006300656.tif 000009
【図９】
0006300656.tif 000010
【図１０】
0006300656.tif 000011
【図１１】
0006300656.tif 000012
【図１２】
0006300656.tif 000013
【図１３】
0006300656.tif 000014
【図１４】
0006300656.tif 000015
【図１５】
0006300656.tif 000016
【図１６】
0006300656.tif 000017
【図１７】
0006300656.tif 000018